(57)【特許請求の範囲】
【請求項１】
演算処理回路の外部に搭載されアクセス速度が低速の外部メモリに記憶された第１の拡散コード列のうちの通信すべきスロットに対応する一部分を演算処理回路の内部に搭載されアクセス速度が高速の内部メモリに転送して記憶し、前記内部メモリに記憶された第１の拡散コード列の一部分により拡散変調された１スロット分の第１の拡散変調信号を生成する第１の生成工程と、
前記第１の拡散変調信号の生成と並列的に実行され前記外部メモリに記憶された第２の拡散コード列の通信すべきスロットに対応する一部分を内部メモリに転送して記憶し、前記内部メモリに記憶された第２の拡散コード列の一部分により拡散変調された１スロット分の第２の拡散変調信号を生成する第２の生成工程と、
を含み、
前記第１及び第２の生成工程を少なくとも１回以上繰り返し、所定のタイミングにおいて無線端末局からの応答内容を判定し、所定の条件に該当するときは前記第２の生成工程のみを行う無線基地局における拡散変調信号の生成方法であって、
前記所定のタイミングに先立って、前記演算処理回路の外部に搭載されアクセス速度が低速の外部メモリに記憶された第１及び第２の拡散コード列の通信すべきスロットに対応する一部分を予め内部メモリに転送して記憶する予備的コード転送工程と、
前記予備的コード転送工程と並列的に実行され無線端末局からの応答内容を判定する判定工程と、
無線端末局からの応答内容が所定の条件に該当するときは内部メモリに予め記憶された第１及び第２の拡散コード列の一部分により拡散変調された第１及び第２の拡散変調信号を生成し、無線端末局からの応答内容が所定の条件に該当しないときは内部メモリに予め記憶された第２の拡散コード列の一部分により拡散変調された第２の拡散変調信号のみを生成する選択的生成工程と、
を含むことを特徴とする無線基地局における拡散変調信号の生成方法。
【発明の詳細な説明】
【技術分野】
【０００１】
本発明は、無線基地局における拡散変調信号の生成方法に関し、とりわけ、処理時間を確保して処理負荷が軽減された拡散変調信号の生成方法を実現することに関する。
【背景技術】
【０００２】
第３世代携帯電話方式である「Ｗ−ＣＤＭＡ（Wideband-Code Division Multiple Access）」における高速データ通信方式として「ＨＳＤＰＡ（High Speed Downlink Packet Access）」がある（非特許文献１）。ＨＳＤＰＡ方式の無線基地局は、制御データ転送用チャネルの信号であるＨＳ−ＳＣＣＨ（High Speed Shared Control CHannel）と、データ転送用チャネルの信号であるＨＳ−ＤＳＣＨ（High Speed Dedicated Shared CHannel）と、により無線端末局と通信する。
【０００３】
ＨＳＤＰＡ方式の無線基地局では、無線環境等に応じてＨＳ−ＤＳＣＨの変調方式等を変えており、ＨＳ−ＳＣＣＨにより無線端末局にＨＳ−ＤＳＣＨの変調方式等のデータを通知する。以下、ＨＳＤＰＡ方式の無線基地局が送信するＨＳ−ＳＣＣＨ及びＨＳ−ＤＳＣＨについて図５を用いて説明する。
【０００４】
図５において、ＨＳ−ＳＣＣＨは、前述したＨＳ−ＤＳＣＨの変調方式等の制御に関わるデータを、ＨＳ−ＳＣＣＨ用拡散コード列（図５における「Ｃｏｄｅ１」）のうちの通信すべきスロットに対応する（部分的な）コード（例えば「Ｃｏｄｅ１−１」）によって拡散変調することにより生成される。このような拡散変調がスロット毎に行われ、連続するスロット構成のＨＳ−ＳＣＣＨが生成される。ＨＳ−ＳＣＣＨは、３スロット（例えば「Ｃｏｄｅ１−１」〜「Ｃｏｄｅ１−３」）を一つの単位としてＨＳＤＰＡ無線基地局から送信される（なお、「Ｃｏｄｅ１」は、次の１２スロットについても繰り返し拡散処理に使われる）。
【０００５】
また、ＨＳ−ＤＳＣＨは、音声や映像等のデータを、ＨＳ−ＤＳＣＨ用拡散コード列（図５における「Ｃｏｄｅ２」）のうちの通信すべきスロットに対応する（部分的な）コード（例えば「Ｃｏｄｅ２−１」）によって拡散変調することにより生成される。このような拡散変調がスロット毎に行われ、連続するスロット構成のＨＳ−ＤＳＣＨが生成される。このＨＳ−ＤＳＣＨも同様に、３スロット（例えば「Ｃｏｄｅ２−１」〜「Ｃｏｄｅ２−３」）を一つの単位としてＨＳＤＰＡ無線基地局から送信される。また、ＨＳ−ＤＳＣＨは、ＨＳ−ＳＣＣＨに対して２スロット遅れて送信される（なお、「Ｃｏｄｅ２」は、次の１２スロットについても繰り返し拡散処理に使われる）。
【０００６】
前述したように、ＨＳ−ＳＣＣＨ及びＨＳ−ＤＳＣＨは、スロット毎に異なる拡散コードにより拡散変調される。このため、拡散変調をするＤＳＰ等の処理回路に、前述したようなＨＳ−ＳＣＣＨ用拡散コード列やＨＳ−ＤＳＣＨ用拡散コード列全てをＤＳＰ内部の（比較的アクセス速度が高速な）内部メモリに記憶させるのはメモリ容量を増やしてしまうため好ましくない。一方、各々の拡散コード列をＤＳＰ外部の（アクセス速度が低速な）外部メモリに記憶し、拡散変調のたびに直接アクセスするのは、バス速度等の影響で拡散処理に関わる時間を増大化させてしまう。このようなメモリ容量の有効活用と処理時間に関わる課題に対しては、ＤＭＡ（Direct Memory Access）転送を用いたパイプライン処理がある。
【０００７】
また、図５に示すように、ＨＳＤＰＡ無線基地局は、３スロット毎に無線端末局からの応答内容を判定し、その応答内容に応じて、ＨＳ−ＳＣＣＨの送信をＯｆｆする（また、ＨＳ−ＤＳＣＨは、これに伴い、ＨＳ−ＳＣＣＨがＯｆｆされてから２スロット後にオフされる）。
【０００８】
【非特許文献１】Harri Holma他（著）「HSDPA/HSUPA FOR UMTS: High Speed Radio Access for Mobile Communications」WILEY
【発明の開示】
【発明が解決しようとする課題】
【０００９】
前述したように、ＨＳＤＰＡ無線基地局では、ＤＭＡ転送を用いたパイプライン処理によって、ＨＳ−ＳＣＣＨ及びＨＳ−ＤＳＣＨが生成されており、３スロット毎に無線端末局からの応答内容を判定し、その応答内容に応じてＨＳ−ＳＣＣＨの送信オン／オフが変化する（なお、応用内容の判定としては、（１）無線端末局から応答があったときにＨＳＤＰＡ無線基地局に無線端末局に対して送信すべきデータがあるとき（２）無線基地局からの応答が再送要求であるとき（３）無線基地局から応答がなかったとき、のいずれかに該当する場合にＨＳ−ＳＣＣＨは送信オンとなる）。
【００１０】
このため、前述したようなＤＭＡ転送を用いたパイプライン処理を行うとすると、無線端末局からの応答内容が判定されるまで、どの拡散コードをＤＭＡ転送すべきかを決定することができない。さらに、無線端末局からの応答内容を判定してから拡散コードを転送すると、判定から送信開始までの処理時間が短くなり拡散変調をするＤＳＰ等の処理回路の処理負荷が増大する。このため、判定から送信開始までの処理時間を確保して拡散変調をするＤＳＰ等の処理回路の処理負荷が軽減されたＨＳ−ＳＣＣＨ及びＨＳ−ＤＳＣＨを生成する拡散変調信号の生成方法を実現することが望まれる。
【課題を解決するための手段】
【００１１】
本発明は、演算処理回路の外部に搭載されアクセス速度が低速の外部メモリに記憶された第１の拡散コード列のうちの通信すべきスロットに対応する一部分を演算処理回路の内部に搭載されアクセス速度が高速の内部メモリに転送して記憶し、前記内部メモリに記憶された第１の拡散コード列の一部分により拡散変調された１スロット分の第１の拡散変調信号を生成する第１の生成工程と、前記第１の拡散変調信号の生成と並列的に実行され前記外部メモリに記憶された第２の拡散コード列の通信すべきスロットに対応する一部分を内部メモリに転送して記憶し、前記内部メモリに記憶された第２の拡散コード列の一部分により拡散変調された１スロット分の第２の拡散変調信号を生成する第２の生成工程と、を含み、前記第１及び第２の生成工程を少なくとも１回以上繰り返し、所定のタイミングにおいて無線端末局からの応答内容を判定し、所定の条件に該当するときは前記第２の生成工程のみを行う無線基地局における拡散変調信号の生成方法であって、前記所定のタイミングに先立って、前記演算処理回路の外部に搭載されアクセス速度が低速の外部メモリに記憶された第１及び第２の拡散コード列の通信すべきスロットに対応する一部分を予め内部メモリに転送して記憶する予備的コード転送工程と、前記予備的コード転送工程と並列的に実行され無線端末局からの応答内容を判定する判定工程と、無線端末局からの応答内容が所定の条件に該当するときは内部メモリに予め記憶された第１及び第２の拡散コード列の一部分により拡散変調された第１及び第２の拡散変調信号を生成し、無線端末局からの応答内容が所定の条件に該当しないときは内部メモリに予め記憶された第２の拡散コード列の一部分により拡散変調された第２の拡散変調信号のみを生成する選択的生成工程と、を含むことを特徴とする。
【発明の効果】
【００１２】
本発明によれば、判定から送信開始までの処理時間を確保して拡散変調をするＤＳＰ等の処理回路の処理負荷が軽減されたＨＳ−ＳＣＣＨ及びＨＳ−ＤＳＣＨを生成する拡散変調信号の生成方法を実現することができる。
【発明を実施するための最良の形態】
【００１３】
以下、本発明を実施するための形態について図面を用いて説明する。図１に本発明の実施形態に係る拡散変調方法を実装する無線基地局を示す。なお、本実施形態の無線基地局はＨＳＤＰＡ方式の無線基地局であるとする。
【００１４】
図１に示す無線基地局１００は、無線端末局２００へＨＳ−ＳＣＣＨ及びＨＳ−ＤＳＣＨを送信する送信処理回路１０と、無線端末局２００からの応答信号を受信する受信処理回路２０と、送信処理回路１０及び受信処理回路２０を制御する制御プロセッサ３０と、を有している。
【００１５】
送信処理回路１０は、後述する受信処理回路２０から出力された復調結果により無線端末局２００からの応答内容を判定する復調結果判定部１１と、ＨＳ−ＳＣＣＨ及びＨＳ−ＤＳＣＨを拡散変調により生成する拡散変調部１３と、生成されたＨＳ−ＳＣＣＨ及びＨＳ−ＤＳＣＨを送信する送信部１５と、を備える。この送信処理回路１０は、前述したようにＤＭＡ転送を用いたパイプライン処理によりＨＳ−ＳＣＣＨ及びＨＳ−ＤＳＣＨを生成する。また、送信処理回路１０は、無線端末局２００からの応答内容の判定に応じて、拡散変調部１３で後述するような選択的な信号の生成を行う。なお、拡散変調部１３の詳細は後述にて詳細に説明する。
【００１６】
受信処理回路２０は、所定のタイミング（例えば３スロットに１回）において無線端末局２００からの応答内容を判定するために入力信号の復調処理を行う復調処理部２１と、その復調結果を送信処理回路１０に通知する復調結果通知部２３と、を備える。
【００１７】
また、拡散変調部１３は、図２に示すように、ＨＳ−ＳＣＣＨ及びＨＳ−ＤＳＣＨの元データとなるデータを発生させるデータ発生部１と、外部メモリ１３−２に格納され元データを拡散処理するための拡散コード列の一部がＤＭＡ転送される内部メモリ３と、データ発生部１により発生した元データと内部メモリ３に格納された拡散コード列の一部とにより拡散変調（例えば排他的論理輪演算）する演算回路５と、これにより生成された拡散変調信号を送信するまでの間格納するバッファ部７と、を有している。
【００１８】
以下、動作について、図１〜図２及び図３のタイミングチャートを用いて説明する。まず、スロット１の拡散処理信号の生成について説明する。制御プロセッサ３０は、送信処理回路１０に対してＨＳ−ＳＣＣＨを生成させるよう制御信号を送る。（送信処理回路１０の）拡散変調部１３は、データ発生部１によりＨＳ−ＤＳＣＨの変調方式等の制御データを発生する。次に、送信処理回路１０は、外部メモリ１３−２に格納されたＨＳ−ＳＣＣＨ用拡散コード列（Ｃｏｄｅ１）のうちの通信すべきスロット１に対応する一部分（Ｃｏｄｅ１−１）をＤＭＡ転送により、内部メモリ３に格納する。そして、拡散変調部１３は制御データをＨＳ−ＳＣＣＨ用拡散コード列の一部分（Ｃｏｄｅ１−１）により拡散変調し１スロット分のＨＳ−ＳＣＣＨを生成する。そして、このような処理を（スロット２についても同様に）繰り返して行う。このように生成されたＨＳ−ＳＣＣＨはスロット１（及び２）で送信される。
【００１９】
次に、拡散変調部１３は、スロット３の拡散処理信号であるＨＳ−ＳＣＣＨ及びＨＳ−ＤＳＣＨの生成を行う。まず、前述したのと同様に、データ発生部１は、ＨＳ−ＤＳＣＨの変調方式等のデータである制御データを発生させる。次に、拡散変調部１３の外部メモリ１３−２に格納されたＨＳ−ＳＣＣＨ用拡散コード列の一部分（Ｃｏｄｅ１−３）をＤＭＡ転送により、拡散変調部１３の内部メモリ３に転送する。そして、演算回路５は、制御データと内部メモリに記憶されたＨＳ−ＳＣＣＨ用拡散コード列の一部分（Ｃｏｄｅ１−３）により拡散変調し、１スロット分のＨＳ−ＳＣＣＨを生成する。
【００２０】
また、拡散変調部１３は、このような拡散変調処理に並列的に、拡散変調部１３の外部メモリ１３−２に格納されたＨＳ−ＤＳＣＨ用拡散コード列の一部分（Ｃｏｄｅ２−１）をＤＭＡ転送により、拡散変調部１３の内部メモリ３に転送し格納する。また、データ発生部１は、映像や音声といったＨＳ−ＤＳＣＨの元データを発生させる。そして、演算回路５は、ＨＳ−ＤＳＣＨの元データを内部メモリ３に記憶されたＨＳ−ＤＳＣＨ用拡散コード列の一部分（Ｃｏｄｅ２−１）により拡散変調し、１スロット分のＨＳ−ＤＳＣＨを生成する。このように生成されたＨＳ−ＳＣＣＨとＨＳ−ＤＳＣＨとはスロット３で送信される。
【００２１】
次に、無線基地局１００は、スロット３において、無線端末局２００からの応答内容を判定し、この判定結果に基づいてＨＳ−ＳＣＣＨ及びＨＳ−ＤＳＣＨを生成する。これを図３のタイミングチャートと図４のフローチャートを用いて説明する。まず、受信処理回路２０の復調処理部２１は、入力される信号を復調する。そして、復調結果通知部２３は、復調結果を送信処理回路１０に出力する（Ｓ１０１−１）。
【００２２】
送信処理回路１０は、このように入力された復調結果により無線端末局２００の応答内容を判定するのに先立って、外部メモリ１３−２に記憶されたＨＳ−ＳＣＣＨ用及びＨＳ−ＤＳＣＨ用拡散コード列の通信すべきスロットに対応する一部分（Ｃｏｄｅ１−４とＣｏｄｅ２−２）を予め内部メモリ３にＤＭＡ転送する（Ｓ１０１−２）。
【００２３】
そして、復調結果判定部１１は、入力された復調結果により無線端末局２００からの応答内容を判定し判定結果を拡散変調部１３に出力する（Ｓ１０２）。拡散変調部１３は、復調結果判定部１１から入力された判定結果に基づいて、ＨＳ−ＳＣＣＨとＨＳ−ＤＳＣＣＨとを選択的に生成する。
【００２４】
すなわち、拡散変調部１３は、判定結果が前述した（１）〜（３）の条件のうちのいずれかに該当するときは、内部メモリ３に予め記憶されたＨＳ−ＳＣＣＨ及びＨＳ−ＤＳＣＨ用拡散コード列の一部分（Ｃｏｄｅ１−４及びＣｏｄｅ２−２）を用いてスロット３に対応するＨＳ−ＳＣＣＨ及びＨＳ−ＤＳＣＨを生成する（Ｓ１０３−１及びＳ１０４−１）。そして、生成されたＨＳ−ＳＣＣＨ及びＨＳ−ＤＳＣＨを送信する（Ｓ１０５）。
【００２５】
そして、拡散変調部１３は、判定結果が前述した（１）〜（３）の条件のうちのいずれかにも該当しないときは、内部メモリ３に予め記憶されたＨＳ−ＤＳＣＨ用拡散コード列の一部分（Ｃｏｄｅ２−２）を用いてスロット３に対応するＨＳ−ＤＳＣＨを生成する（Ｓ１０３−２）。そして、生成されたＨＳ−ＤＳＣＨを送信する（Ｓ１０４−２）。
【００２６】
このように、無線端末局２００からの応答内容を判定するタイミングに先立って、予めＨＳ−ＳＣＣＨ及びＨＳ−ＤＳＣＨ用拡散コードを内部メモリ３にＤＭＡ転送し、無線端末局２００からの応答内容の判定に基づいてＨＳ−ＳＣＣＨ及びＨＳ−ＤＳＣＨを選択的に生成することにより、判定結果を待つ時間の分だけ処理時間が短縮され、送信処理回路１０の計算負荷を軽減することができる。
【００２７】
さらに、判定結果が前述した（１）〜（３）の条件のうちのいずれかにも該当しないときには、内部メモリ３にＨＳ−ＤＳＣＨ用拡散コード列の一部分（Ｃｏｄｅ２−２）が格納されているため、判定後直ぐに、ＨＳ−ＤＳＣＨを生成することができ、処理時間に余裕が発生する。このような時間的余裕により、送信処理回路１０を形成するＤＳＰの計算機資源を他の処理（例えば誤り訂正符号化やインターリーブ等）に割り当てることができ、計算機資源をより有効活用することができる。
【図面の簡単な説明】
【００２８】
【図１】本発明の実施形態に係る拡散変調信号の生成方法を実装する無線基地局を示す図である。
【図２】本発明の実施形態に係る拡散変調部を示す図である。
【図３】本発明の実施形態に係る拡散変調信号の生成方法の処理タイミングを示す図である。
【図４】本発明の実施形態に係る拡散変調信号の生成方法の処理フローを示す図である。
【図５】ＨＳＤＰＡ方式の無線基地局が送信するＨＳ−ＳＣＣＨ及びＨＳ−ＤＳＣＨを説明する図である。
【符号の説明】
【００２９】
１０  送信処理回路、２０  受信処理回路、３０  制御プロセッサ、１００  無線基地局、２００  無線端末局
【図１】
0004709670.tif 000002
【図２】
0004709670.tif 000003
【図３】
0004709670.tif 000004
【図４】
0004709670.tif 000005
【図５】
0004709670.tif 000006